(57)【要約】【課題】ロープなどを連結する連結具本体を開放状態とすることが容易にはできず、閉塞状態が確実に保持される連結具を提供すること。【解決手段】Ｃ環状の連結具本体２の開口部３の一端部に開閉体４を枢着し、開口部３の他端部に閉塞係合部５を設け、この閉塞係合部５に係合する閉塞係止部６を開閉体４の先端部に設け、連結具本体２内にロックピン７を埋没状態に設け、このロックピン７は、閉塞係合部５より突没動自在に設け、このロックピン７を閉塞係合部５より突出付勢する付勢体８を設け、このロックピン７が係脱自在に突出係止するピン係止孔９を閉塞係止部６に設け、このロックピン７に解除操作部10を設け、連結具本体２に、外部から解除操作手段11を挿入して、解除操作部10を操作可能とする操作用挿入部14を設けた連結具。【選択図】図４
2017000070.tif 000002
【特許請求の範囲】
【請求項１】
連結物を出入りさせる開口部を備えたＣ環状の連結具本体のこの開口部の一端部に、開閉体の基端部を枢着して、この開閉体の回動により前記開口部を開閉し得るように構成した連結具において、前記連結具本体の開口部の他端部に閉塞係合部を設け、前記開閉体で前記開口部を閉塞した際にこの閉塞係合部に係合する閉塞係止部を前記開閉体の先端部に設け、前記連結具本体内の前記閉塞係合部付近にロックピンを埋没状態に設け、このロックピンは、前記開閉体の回動方向と交差する方向にスライド移動して前記閉塞係合部より突没動自在に設けると共に、このロックピンを閉塞係合部より突出する方向に移動付勢する付勢体を前記連結具本体に設け、前記開閉体で前記開口部を閉塞した際にこのロックピンが係脱自在に突出係止するピン係止孔を前記閉塞係止部に設けて、このロックピンがピン係止孔に突出係止することで前記閉塞係止部の前記閉塞係合部への係合状態がロックされるように構成し、このロックピンに解除操作部を設けて、この解除操作部を前記連結具本体内に埋没状態とし、この連結具本体に、この連結具本体の外部から手指やロック解除工具などの解除操作手段を連結具本体内に挿入して前記解除操作部を操作可能とする操作用挿入部を設けて、この操作用挿入部から連結具本体内に挿入した解除操作手段により、前記付勢体の付勢力に抗し前記ロックピンを前記閉塞係合部に対し没入移動操作して前記閉塞係止部の閉塞係合部への係合状態をロック解除し得るように構成したことを特徴とする連結具。
【請求項２】
棒状の先端工具部を有するロック解除工具を前記解除操作手段とし、このロック解除工具の先端工具部を挿入係止可能な前記解除操作部を前記ロックピンに設け、このロックピンの解除操作部に前記ロック解除工具の先端工具部を挿入係止した際に、このロック解除工具の先端工具部と基端握柄部との間の途中部が当接可能な支点部を前記操作用挿入部に設けて、この支点部を支点にロック解除工具の前記基端握柄部を押動操作すると、てこの原理により前記先端工具部に増力作用が生じるように構成し、この増力作用により前記ロックピンを前記閉塞係合部に対し没入移動操作し得るようにしたことを特徴とする請求項１記載の連結具。
【請求項３】
前記連結具本体の前記開口部の他端部付近に、前記開閉体の回動方向と交差する方向に孔長を有するピン取付孔を設け、このピン取付孔は、その一端が前記閉塞係合部に開孔すると共に、他端が前記開口部と反対側の前記連結具本体の外側部に開孔する形状に形成し、このピン取付孔に前記ロックピンをスライド自在に挿入配設して、このロックピンの先端部をピン取付孔の一端開孔から閉塞係合部に対し突没スライド動自在に設け、このロックピンの基端部に前記解除操作部を設けると共に、前記ピン取付孔の他端開孔に前記操作用挿入部を設けたことを特徴とする請求項１，２のいずれか１項に記載の連結具。
【請求項４】
前記連結具本体の前記開口部の他端部に前記閉塞係合部としての係合凹部を設けると共に、この係合凹部に一端が開孔するようにして前記開口部の他端部付近に前記ピン取付孔を設け、この係合凹部に係合可能な前記閉塞係止部としての係止凸部を、前記開閉体の先端部に設けると共に、この係止凸部を前記係合凹部に係合した際に、前記ピン取付孔の一端開孔と連通してピン取付孔から突出する前記ロックピンが係止可能な前記ピン係止孔を、この係止凸部に設けたことを特徴とする請求項３記載の連結具。
【請求項５】
棒状の先端工具部を有するロック解除工具を前記解除操作手段とし、このロック解除工具の先端工具部を前記ピン取付孔内の前記ロックピンの前記解除操作部に誘導案内するガイド孔部を前記操作用挿入部に設けると共に、このガイド孔部は、前記ピン取付孔の他端開孔から傾斜方向に延設する傾斜ガイド孔部に形成したことを特徴とする請求項３，４のいずれか１項に記載の連結具。
【発明の詳細な説明】
【技術分野】
【０００１】
本発明は、例えば、まき網漁に用いる漁網を締め括りロープに連結する際等に用いる連結具に関するものである。
【背景技術】
【０００２】
本出願人は、従来、この種の連結具として、特許文献１に示す漁網用ロープ通し環連結具を提案している。
【０００３】
この漁網用ロープ通し環連結具は、連結具本体の下部に連結環を、中間部に開孔部を、上部にリング受腕を設け、この連結具本体のリング受腕に対向せしめて開閉腕の基部をリング受腕の先端に軸着して開閉腕を連結具本体の外側に開閉自在に設け、連結具本体の開孔部内に常に上方に弾圧されるように基部を連結具本体に軸着した係止腕を上下回動自在に設け、この係止腕の先端部と開閉腕の下部に係止機構を設け、開孔部の側壁に操作窓を設けて係止腕を前後左右いずれからも押し下げできるように構成したものである。
【０００４】
また、この種の連結具は、外部からのちょっとした衝撃などで開閉腕が簡単に開いてしまう誤動作が生じないように、係止腕にはバネなどによる強力な弾圧力（付勢力）が常時作用する構成となっている。そのため、開閉腕を開く際は、例えば、ドライバー等の棒状体を開孔部に差し込み、こじ開けるような操作で強力な弾圧力で弾圧されている係止腕を押し下げて係止機構を解除することで、この開閉腕が外側に開き回動するように構成されている。
【先行技術文献】
【特許文献】
【０００５】
【特許文献１】実公平７−３７４９９号公報
【発明の概要】
【発明が解決しようとする課題】
【０００６】
本発明は、上記特許文献１に示すような連結具の改良に係るもので、連結具本体へのロープなどの連結状態が確固に保持されると共に、この連結具本体内に解除操作手段を挿入しない限りは連結状態を解除操作できない信頼性の高い連結具を提供するものである。
【課題を解決するための手段】
【０００７】
添付図面を参照して本発明の要旨を説明する。
【０００８】
連結物１を出入りさせる開口部３を備えたＣ環状の連結具本体２のこの開口部３の一端部に、開閉体４の基端部を枢着して、この開閉体４の回動により前記開口部３を開閉し得るように構成した連結具において、前記連結具本体２の開口部３の他端部に閉塞係合部５を設け、前記開閉体４で前記開口部３を閉塞した際にこの閉塞係合部５に係合する閉塞係止部６を前記開閉体４の先端部に設け、前記連結具本体２内の前記閉塞係合部５付近にロックピン７を埋没状態に設け、このロックピン７は、前記開閉体４の回動方向と交差する方向にスライド移動して前記閉塞係合部５より突没動自在に設けると共に、このロックピン７を閉塞係合部５より突出する方向に移動付勢する付勢体８を前記連結具本体２に設け、前記開閉体４で前記開口部３を閉塞した際にこのロックピン７が係脱自在に突出係止するピン係止孔９を前記閉塞係止部６に設けて、このロックピン７がピン係止孔９に突出係止することで前記閉塞係止部６の前記閉塞係合部５への係合状態がロックされるように構成し、このロックピン７に解除操作部10を設けて、この解除操作部10を前記連結具本体２内に埋没状態とし、この連結具本体２に、この連結具本体２の外部から手指やロック解除工具12などの解除操作手段11を連結具本体２内に挿入して前記解除操作部10を操作可能とする操作用挿入部14を設けて、この操作用挿入部14から連結具本体２内に挿入した解除操作手段11により、前記付勢体８の付勢力に抗し前記ロックピン７を前記閉塞係合部５に対し没入移動操作して前記閉塞係止部６の閉塞係合部５への係合状態をロック解除し得るように構成したことを特徴とする連結具に係るものである。
【０００９】
また、棒状の先端工具部13を有するロック解除工具12を前記解除操作手段11とし、このロック解除工具12の先端工具部13を挿入係止可能な前記解除操作部10を前記ロックピン７に設け、このロックピン７の解除操作部10に前記ロック解除工具12の先端工具部13を挿入係止した際に、このロック解除工具12の先端工具部13と基端握柄部との間の途中部が当接可能な支点部15を前記操作用挿入部14に設けて、この支点部15を支点にロック解除工具12の前記基端握柄部を押動操作すると、てこの原理により前記先端工具部13に増力作用が生じるように構成し、この増力作用により前記ロックピン７を前記閉塞係合部５に対し没入移動操作し得るようにしたことを特徴とする請求項１記載の連結具に係るものである。
【００１０】
また、前記連結具本体２の前記開口部３の他端部付近に、前記開閉体４の回動方向と交差する方向に孔長を有するピン取付孔16を設け、このピン取付孔16は、その一端が前記閉塞係合部５に開孔すると共に、他端が前記開口部３と反対側の前記連結具本体２の外側部に開孔する形状に形成し、このピン取付孔16に前記ロックピン７をスライド自在に挿入配設して、このロックピン７の先端部をピン取付孔16の一端開孔17から閉塞係合部５に対し突没スライド動自在に設け、このロックピン７の基端部に前記解除操作部10を設けると共に、前記ピン取付孔16の他端開孔18に前記操作用挿入部14を設けたことを特徴とする請求項１，２のいずれか１項に記載の連結具に係るものである。
【００１１】
また、前記連結具本体２の前記開口部３の他端部に前記閉塞係合部５としての係合凹部５を設けると共に、この係合凹部５に一端が開孔するようにして前記開口部３の他端部付近に前記ピン取付孔16を設け、この係合凹部５に係合可能な前記閉塞係止部６としての係止凸部６を、前記開閉体４の先端部に設けると共に、この係止凸部６を前記係合凹部５に係合した際に、前記ピン取付孔16の一端開孔17と連通してピン取付孔16から突出する前記ロックピン７が係止可能な前記ピン係止孔９を、この係止凸部６に設けたことを特徴とする請求項３記載の連結具に係るものである。
【００１２】
また、棒状の先端工具部13を有するロック解除工具12を前記解除操作手段11とし、このロック解除工具12の先端工具部13を前記ピン取付孔16内の前記ロックピン７の前記解除操作部10に誘導案内するガイド孔部25を前記操作用挿入部14に設けると共に、このガイド孔部25は、前記ピン取付孔16の他端開孔18から傾斜方向に延設する傾斜ガイド孔部25に形成したことを特徴とする請求項３，４のいずれか１項に記載の連結具に係るものである。
【発明の効果】
【００１３】
本発明は上述のように構成したから、連結具本体の開口部を開閉体で閉塞ロックでき、ロックピンが開閉体の閉塞係止部に対して開閉体の回動方向と交差する方向から突出係止するようにしたため、このロックピンが開閉体を開放回動しようとする荷重等に抗する大きな抵抗力を発揮でき、しかも、連結具本体内に手指やロック解除工具などの解除操作手段を挿入しない限り開閉体の閉塞ロック状態を解除できないから、不意に連結物の連結状況が解除されてしまうような誤作動がないなど、極めて信頼性の高い実用性に優れた連結具となる。
【００１４】
また、請求項２記載の発明においては、ロック解除工具を用いない限り開閉体の閉塞ロック状態を解除できず、しかも、ロック解除工具を用いててこ作用により開閉体の閉塞ロック状態の解除操作を容易に行うことができると共に、解除操作を容易にできるが故に強力な付勢体を採用して開閉体の閉塞ロック状態を強固に保持できる構成も容易に設計実現可能となるなど、一層実用性に優れた構成の連結具となる。
【００１５】
また、請求項３記載の発明においては、ロックピンが連結具本体に埋没状態で閉塞係合部に対し突没動自在となる構成、並びに操作用挿入部からロックピンを解除操作可能な構成を簡易に設計実現可能となる一層実用性に優れた構成の連結具となる。
【００１６】
また、請求項４記載の発明においては、ロックピンの突出係止によって開閉体が閉塞ロック状態となり、ロックピンの没入移動によって開閉体の閉塞ロック状態が解除される構成を簡易に設計実現可能となる一層実用性に優れた構成の連結具となる。
【００１７】
また、請求項５記載の発明においては、ロック解除工具を用いなければ開閉体の閉塞ロック状態を解除できないために一層信頼性が高く、しかも、ロック解除工具の先端工具部がガイド孔部を介して解除操作部へと容易に誘導案内されるので、このロック解除工具を用いた閉塞ロック状態の解除操作が容易に行われるなど、極めて実用性に優れた構成の連結具となる。
【図面の簡単な説明】
【００１８】
【図１】本実施例を示す開閉体が閉塞ロック状態の斜視図である。
【図２】本実施例のロックピンの解除操作部に、操作用挿入部を介してロック解除工具の先端工具部を挿入係止した状態を示す一部を切り欠いた説明正面図である。
【図３】本実施例の要部の拡大平断面図である。
【図４】図２の状態から、ロック解除工具の操作によりロックピンを没入移動させて（ロックピンをピン係止孔より係脱させて）開閉体を開放回動させた状態を示す一部を切り欠いた説明正面図である。
【図５】本実施例を示す一部を切り欠いた説明側面図である。
【発明を実施するための形態】
【００１９】
好適と考える本発明の実施形態を、図面に基づいて本発明の作用を示して簡単に説明する。
【００２０】
開口部３から連結具本体２内に連結物１を入れ、開閉体４を回動して先端部の閉塞係止部６を開口部３の他端部の閉塞係合部５に係合すると、開閉体４が開口部３を閉塞して連結具本体２に連結物１が外れ止めされた連結状態となるが、この際に連結具本体２内の前記閉塞係合部５付近に埋没状態に設けられたロックピン７を、前記閉塞係止部６のピン係止孔９に係脱自在に突出係止すると、この係止状態が連結具本体２に設けた付勢体８により付勢保持されて前記閉塞係止部６の前記閉塞係合部５への係合状態がロック（開閉体４が開口部３を閉塞した状態がロック）されることになる。
【００２１】
また、この際、前記開閉体４の回動方向と交差する方向にスライド移動して開閉体４（の閉塞係止部６）のピン係止孔９に突出係止するロックピン７は、開閉体４が開放回動しようとする荷重等に抗して大きな抵抗力を発揮できるので、簡単に開閉体４が開いてしまうことがなく、連結物１の連結状態が確固に保持されることとなる。
【００２２】
連結具本体２に連結した連結物１を取り外したい場合は、連結具本体２に設けた操作用挿入部14を介して、連結具本体２の外部から手指やロック解除工具12などの解除操作手段11を連結具本体２内に挿入し、この連結具本体２内に挿入した解除操作手段11により、前記付勢体８の付勢力に抗し前記ロックピン７を前記閉塞係合部５に対し没入スライド移動操作すると、前記閉塞係止部６の閉塞係合部５への係合状態をロック解除することができる（開閉体４を開放回動して開口部３を開状態とすることができる。）。
【００２３】
従って、連結具本体２内に手指やロック解除工具12などの解除操作手段11を挿入しない限り開閉体４の閉塞ロック状態を解除することができないから、連結具本体２に何かがぶつかった拍子に不意に開閉体４が開放してしまうような誤作動がなく、連結物１の連結状況を確固に保持できる。
【実施例】
【００２４】
本発明の具体的な実施例について図面に基づいて説明する。
【００２５】
本実施例は、例えば、まき網漁に用いる漁網の端部の縁ロープ20と、この漁網を締め括る締め括りロープ１とを連結する際等に用いる漁網用ロープ通し連結具に適用した場合であって、図１，図２，図４に示すような長さのある（図面は縦長）Ｃ環状で且つその長さ方向と直交する方向の一側（図面は右側）が連結物１を出入りさせる開口部３となる形状の連結具本体２と、この連結具本体２の開口部３を閉塞する棒状の開閉体４とから成り、前記開口部３の一端部に、前記開閉体４の基端部を枢着して、この開閉体４の回動により前記開口部３を開閉し得るように構成している。以下、本実施例では、図１，図２，図４における図面手前側を連結具本体２の前側、図面奥側を連結具本体２の後側、図面上下を連結具本体２の上下と規定して説明する。
【００２６】
また、この連結具本体２の下部には、小径の連結環部19を一体的に設け、例えばこの連結環部19に漁網の縁ロープ20を連結し、前記開口部３から連結物１としての締め括りロープ１を入れて開口部３を開閉体４で閉塞することにより、本連結具を介して漁網と締め括りロープ１とを連結する。
【００２７】
また、この連結具本体２の上部内側には、前記締め括りロープ１を支持する支持ローラ
21を回転自在に設け、この支持ローラ21が締め括りロープ１から加わる荷重（摩擦）を回転していなすことにより、連結具本体２の耐久性の向上を図っている。
【００２８】
本実施例では、前記連結具本体２の開口部３の他端部に閉塞係合部５を設け、前記開閉体４で前記開口部３を閉塞した際にこの閉塞係合部５に係合する閉塞係止部６を前記開閉体４の先端部に設けている。
【００２９】
具体的には、前記連結具本体２の前記開口部３の他端部に前記閉塞係合部５としての係合凹部５を設け、この係合凹部５に凹凸係合可能な前記閉塞係止部６としての係止凸部６を、前記開閉体４の先端部に設けている。
【００３０】
また、開閉体４は、連結具本体２の左右横幅方向と交差（直交）する方向に開閉回動可能に枢着した構成とすると共に、この開閉体４が閉塞状態から前側にのみ開放回動可能となるように、前記係合凹部５の後部には回動阻止壁部22を設けて、後側への回動を阻止している。
【００３１】
本実施例は、前記連結具本体２内の前記閉塞係合部５（係合凹部５）付近にロックピン７を埋没状態に設け、このロックピン７は、前記開閉体４の回動方向と交差する方向にスライド移動して前記係合凹部５より突没動自在に設けると共に、このロックピン７を係合凹部５より突出する方向に移動付勢する付勢体８を前記連結具本体２に設けている。
【００３２】
具体的には、前記連結具本体２の前記開口部３の他端部付近に、前記開閉体４の回動方向と交差する方向（図１，図２，図４における左右方向）に孔長を有する丸孔状のピン取付孔16を設け、このピン取付孔16は、その一端が前記係合凹部５の図面左側の壁面に開孔して図面右側の壁面から連結具本体２の開口部３側の外側面部に至るまで延設貫通すると共に、他端が前記開口部３と反対側の前記連結具本体２の外側部に開孔する形状に形成し、このピン取付孔16に前記ロックピン７をスライド自在に挿入配設して、このロックピン７の先端部（図２〜図４おける右側端部）をピン取付孔16の一端開孔17から係合凹部５に対し突没動自在に設けている。
【００３３】
また、ロックピン７は、ピン取付孔16にスライド移動自在に挿入可能な丸棒状に形成し、このロックピン７の外周面とピン係止孔16の内周面との間に、前記付勢体８としてのコイルバネ８を介在して、このコイルバネ８により常時ロックピン７の先端部（図１〜図４における右側端部）が一端開孔17から係合凹部５内に突出しようとする方向に移動付勢される構成としている。
【００３４】
また、前記開閉体４で前記開口部３を閉塞した際に前記ピン取付孔16と連通して、前記ロックピン７の先端部が係脱自在に突出係止する丸孔状のピン係止孔９を前記閉塞係止部６（係止凸部６）に図面左右方向に貫通するように設けて、このロックピン７の先端部がピン係止孔９に突出係止して前記係合凹部５の右壁部より外側のピン取付孔16延設孔部分にまで挿通することで前記係止凸部６の前記係合凹部５への係合状態（開閉体４が開口部３を閉塞した状態）がロックされるように構成している。
【００３５】
本実施例では、前記ロックピン７に解除操作部10を設けて、この解除操作部10も前記連結具本体２内に埋没状態としている。
【００３６】
具体的には、ロックピン７は、前記ピン取付孔16の、前記係合凹部５の右壁部より外側の延設孔部分も含めた全孔長よりピン長を短く設定して、このロックピン７がピン取付孔16から外方へ突出することなくピン取付孔16内で往復スライド移動可能となるように構成している。
【００３７】
また、このロックピン７の基端部（図１〜図４において左側端部）に、棒状の先端工具部13を有するロック解除工具12の前記先端工具部13を挿入係止可能な貫通係止孔23を形成すると共に、この貫通係止孔23よりやや先端寄り位置に作業者の手指やロープなどを掛止可能なリング24を揺動自在に枢着して、この貫通係止孔23とリング24とを前記解除操作部10としている。
【００３８】
また、前記ピン取付孔16の他端開孔18は、連結具本体２の外側に至るほど径大となる末広がり形状に形成して、この他端開孔18内に前記リング24を埋没状態で収納可能とし、前記付勢体８の付勢力によって常時このリング24が埋没状態に維持されると共に、このリング24が他端開孔18の内面（の径小部分）に当接することによって、前記付勢体８に付勢されるロックピン７がピン取付孔16から抜け外れることを阻止する構成としている（図３参照）。
【００３９】
また、本実施例では、前記連結具本体２に、この連結具本体２の外部から手指やロック解除工具12などの解除操作手段11を連結具本体２内に挿入して、前記解除操作部10を操作可能とする操作用挿入部14を設けて、この操作用挿入部14から連結具本体２内に挿入した解除操作手段11により、前記付勢体８の付勢力に抗し前記ロックピン７を前記閉塞係合部５に対し没入スライド移動操作して前記閉塞係止部６の閉塞係合部５への係合状態をロック解除し得るように構成している。
【００４０】
具体的には、前記末広がり形状の他端開孔18は、手指やロープを挿入可能な孔径に形成して、この他端開孔18を前記操作用挿入部14とし、この他端開孔18に挿入した解除操作手段11としての手指を前記リング24に掛止したり、解除操作手段11としてのロープをリング24に通したりして開口部３の反対側へ引動することにより、前記付勢体８の付勢力に抗しロックピン７を没入スライド移動操作（開閉体４による開口部３の閉塞ロック状態の解除操作）できる構成としている。
【００４１】
また、この他端開孔18の開孔縁の一部に小径部分を形成し、図示していないが、付勢体８の付勢力に抗し前記ロックピン７先端部を没入スライド移動した際に、ロックピン７をその軸回り方向に回転させて前記リング24をこの小径部分に係脱自在に係止すると、ロックピン７が没入状態で位置決めされて自由に開閉体４を開閉可能となる構成としている。
【００４２】
また、本実施例では、操作用挿入部14を構成する他端開孔18に、ロック解除工具12の先端工具部13を前記ピン取付孔16内の前記ロックピン７基端部の前記貫通係止孔23（解除操作部10）に誘導案内する溝状のガイド孔部25を設けると共に、このガイド孔部25は、前記ピン取付孔16に対し傾斜方向に延設する傾斜ガイド孔部25に形成している。
【００４３】
具体的には、他端開孔18の連結具本体２下方側の孔縁を下方に向かって長溝状に切欠すると共に、この溝部がピン取付孔16の中心に至るに従って徐々に連結具本体２外側面部からの深さを増す傾斜溝形状に形成して、この傾斜溝を前記ガイド孔部25としている。
【００４４】
また、このガイド孔部25は、そのピン取付孔16中心側端部が、前記付勢体８によって前記ロックピン７が前記ピン係止孔９に係止した状態の前記貫通係止孔23に臨設状態となる傾斜溝形状に形成して、このガイド孔部25に沿わせて連結具本体２の斜め下方から前記ロック解除工具12の先端工具部13を他端開孔18から挿入すると、この先端工具部13が前記貫通係止孔23へと誘導案内されて容易に先端工具部13を貫通係止孔23に挿入係止でき（図２参照）、このロック解除工具13を操作して付勢体８の付勢力に抗し前記ロックピン７先端部を没入スライド移動させることができる（開閉体４による開口部３の閉塞ロック状態を解除できる）構成としている。
【００４５】
また、本実施例では、ロックピン７の貫通係止孔23に前記ロック解除工具12の先端工具部13を挿入係止した際に、このロック解除工具12の先端工具部13と基端握柄部との間の途中部が当接可能な支点部15を前記操作用挿入部14に設けている。
【００４６】
具体的には、前記ガイド孔部25の外側端部を前記支点部15とし、この支点部15を支点にロック解除工具12の基端握柄部を連結具本体２に接近する方向に向けて押動操作すると、てこの原理により前記先端工具部13に増力作用が生じるように構成し、この増力作用により前記ロックピン７を前記閉塞係合部５に対し没入スライド移動操作し得るようにしている。また、この支点部15は、てこ作用によりロック解除工具12の先端工具部13に倍力作用が生じるように形成位置を設定構成し、これによりロックピン７の没入スライド移動操作が容易に行われるようにしている。
【００４７】
即ち、本実施例では、解除操作手段11として、手指やロープを用いることも、ロック解除工具12を用いることも可能な操作用挿入部14を構成した場合を示しているが、いずれかの一つの解除操作手段11にしか対応しない構成でも良い。
【００４８】
尚、本発明は、本実施例に限られるものではなく、各構成要件の具体的構成は適宜設計し得るものである。
【符号の説明】
【００４９】
１  連結物
２  連結具本体
３  開口部
４  開閉体
５  閉塞係合部・係合凹部
６  閉塞係止部・係止凸部
７  ロックピン
８  付勢体
９  ピン係止孔
10  解除操作部
11  解除操作手段
12  ロック解除工具
13  先端工具部
14  操作用挿入部
15  支点部
16  ピン取付孔
17  一端開孔
18  他端開孔
25  ガイド孔部
【図１】
2017000070.tif 000003
【図２】
2017000070.tif 000004
【図３】
2017000070.tif 000005
【図４】
2017000070.tif 000006
【図５】
2017000070.tif 000007